(57)【要約】【課題】浴室用椅子の収納部の開閉を簡単にし、且つ広くし、座面（座部）の排水を工夫し、収納部の換気をよくする。【解決手段】浴室用椅子は、収納部４を持つ椅子本体１と、前記椅子本体１に揺動可能に一体的に保持された蓋体Ａ２と座部蓋体Ｂ３でなり、蓋体Ａ２と座部蓋体Ｂ３を設けることで収納部４の開閉が簡単にでき、また、収納部４は椅子本体１の側部１５と収納底面部（底部）１０からなり、椅子本体１が収納部４の広さとなる。また、座面（座部）６は浅皿状に窪んだ中央凹部と山状の周縁部とを持ち、座面（座部）６は浅皿状に窪んだ中央凹部になっていことで座り易く、また、該周縁部は該中央凹部に溜まった水等を抜くため水抜溝７を設けることによって排水ができる。また、収納底面部１０に貫通孔１１を設けることで収納部４の換気を保つことができる。【選択図】図１
2007244819.tif 000002
【特許請求の範囲】
【請求項１】
収納部を持つ椅子本体と、前記椅子本体に揺動可能に一体的に保持され、前記収納部の開口を開閉可能な蓋体とを備えた浴室用椅子。
【請求項２】
椅子本体は、側部と底部によって収納部が形成されている請求項１記載の浴室用椅子。
【請求項３】
前記収納部は、前記椅子本体と頂部に形成され、前記蓋体は座部を兼用する請求項１又は２記載の浴室用椅子。
【請求項４】
前記収納部の開口は、前記椅子本体の側部に蓋体を設ている請求項１〜３いずれか記載の浴室用椅子。
【請求項５】
座面は浅皿状に窪んだ中央凹部と山状の周縁部とを持ち、該周縁部は該中央凹部に溜まる水等を抜くための水抜溝を持っている請求項１〜４のいずれか記載の浴室用椅子。
【請求項６】
浴室用椅子の収納部底面に貫通孔が形成されていることを特徴とする請求項１〜５いずれか記載の浴室用椅子。
【発明の詳細な説明】
【技術分野】
【０００１】  本発明は、浴室用椅子に関するものである。
【背景技術】
【０００２】  従来の浴室用椅子は、椅子本体とは別にトレー式によって形成されたものや、椅子本体に引き出し式によって形成されたものがあり、いづれも収納物を限定した収納方式や、椅子本体と蓋体とで開口する収納部を形成したが収納部は椅子本体とは別に形成されていた。また、収納部の開口部は椅子本体と分離していた。
【発明の開示】
【発明が解決しようとする課題】
【０００３】  従来の浴室用椅子に設けられた収納部は収納容量が小さく、収納できる浴室内の備品が限られているので収納物の対応範囲が狭いという問題があった。また、収納部が狭いという問題もあった。また、収納部を開閉する場合、椅子本体と蓋体等に分離してあることで開閉に時間が掛かったり、場所をとったりして手間取っていた。また、座部の排水は座面の傾斜や中央等でしていた。また、収納部全体を閉じていたことで換気が悪かった。【０００４】  したがって、本発明は収納部を広くし、収納物の対応範囲も広くする。また、収納部への開閉も簡単にし、座面（座部）の排水を工夫し、収納部の換気をよくすることを目的とするものである。
【課題を解決するための手段】
【０００５】  そして、本発明は上記目的を達成するために浴室用椅子は、収納部を持つ椅子本体と、前記椅子本体に揺動可能に一体的に保持され、前記収納部の開口を開閉可能な蓋体とを備えることで収納部への開閉が自在となり、場所も取らず、動作が簡単になる。【０００６】  また、第２の課題解決手段は、椅子本体は、側部と底部（収納底面部）によって収納部が形成されてることで、収納部が広く、収納物の対応範囲も広くなる。【０００７】  また、第３の課題解決手段は、前記収納部は、前記椅子本体と頂部（座面）に形成され、前記蓋体は座部を兼用する。【０００８】  また、第４の課題解決手段は、前記収納部の開口は、前記椅子本体の側部に蓋体を設けている。【０００９】  また、第５の課題解決手段は、座面（座部）は浅皿状に窪んだ中央凹部と山状の周縁部とを持ち該周縁部は該中央凹部に溜まる水等を抜くため水抜溝を持っていることで排水する。【００１０】  また、第６の課題解決手段は、浴室用椅子の収納部底面に貫通孔が形成されていることで、換気がよくなる。【００１１】  上記第１の課題解決手段による作用は次の通りである。収納部を持つ椅子本体と、椅子本体に揺動可能に一体的に保持させた蓋体とを設ることで、収納部への開閉動作が簡単になり、蓋体を閉めることで収納部内に身体を洗浄したお湯等が入らない。【００１２】  また、第２の課題解決手段による作用は、椅子本体が収納部になり、その広い収納部を利用してシャンプーやボディーソープ等の浴室での備品が収納できる。よって、浴室内が片付く。【００１３】  また、第３の課題解決手段による作用は、前記収納部、前記蓋体での座部蓋体を設けることで、収納部が広いうえ開閉動作も簡単となる。【００１４】  また、第４の課題解決手段による作用は、前記収納部の開口は、椅子本体の側部に蓋体を設けていることで、座りながら蓋体を開閉することができ、座りながらシャンプー等の出し入れができる。【００１５】  また、第５の課題解決手段による作用は、座面（座部）は浅皿状に窪んだ中央凹部と山状の周縁部とを持つ。座面（座部）は浅皿状に窪んだ中央凹部を設けることで座り易くなり、また、該周縁部は該中央部凹部に溜まる水等を抜くため水抜溝を設けることで、座面（座部）に溜まった水等の排水ができる。また、水を溜まらせないので衛生的である。【００１６】  また、第６の課題解決手段による作用は、浴室用椅子の収納部底面に貫通孔が形成されていることで、収納部内の換気が保たれ、シャンプー等に付い水滴の水切りとしても機能し、浸水等の排水に適応することもなし得る。
【発明の実施するための最良の形態】
【００１７】  この、本発明の実施の形態を図１〜図８に基づいて説明する。
【００１８】  図１，２はこの発明の実施の形態の浴室用椅子の斜面図。図３は断面図。図４，５は正面図。図６，７は平面図。図８は底面図である。
【００１９】  図においては、１，２の浴室用椅子は、椅子本体１と椅子本体１に揺動可能に一体的に保持された蓋体Ａ２と座部蓋体Ｂ３でなり、開閉口５する収納部４を有し、蓋体Ａ２と座部蓋体Ｂ３とが収納部４を開閉自在にでき、蓋体Ａ２と座部蓋体Ｂ３を開けることで、シャンプー等１２収納部４へ出し入れ自在にでる。また、閉じることで収納部４内に身体を洗浄したお湯が入らない。また、座面（座部）６は浅皿状に窪んだ中央凹部と山状の周縁部とを持ち、座面（座部）６が浅皿状に窪んだ中央凹部になっているので座り易い。また、該周縁部は該中央凹部に溜まった水等を水抜溝７から傾斜に沿って流し、水抜溝口８から排水している。また、持ち手９によって持ち運びができる。また、椅子本体１の本体底辺１４に滑り止め防止のため滑止部材１３が設置してある。
【００２０】  また、３が示すように、収納部４は椅子本体１の側部１５と収納底面部（底部）１０によって形成している。
【００２１】  また、４，５，６，７が示すように、椅子本体１が収納部４の広さとなる。
【００２２】  また、８は収納底面部１０に貫通孔１１を設けることで、収納部４の換気を保たせることができる。
【図面の簡単な説明】
【００２３】
【図１】  本発明の実施形態を示す浴室用椅子Ａの斜視図
【図２】  同浴室用椅子Ｂの斜視図
【図３】  図１，２の収納部断面図
【図４】  図１の正面図
【図５】  図２の正面図
【図６】  図１の平面図
【図７】  図２の平面図
【図８】  図１，２の底面図
【００２４】  １    椅子本体
２    蓋体Ａ
３    座部蓋体Ｂ
４    収納部
５    開閉口
６    座面
７    水抜溝
８    水抜溝口
９    持ち手
１０  収納底面部
１１  貫通孔
１２  シャンプー等
１３  滑止部材
１４  本体底辺
１５  側部
【図１】
2007244819.tif 000003
【図２】
2007244819.tif 000004
【図３】
2007244819.tif 000005
【図４】
2007244819.tif 000006
【図５】
2007244819.tif 000007
【図６】
2007244819.tif 000008
【図７】
2007244819.tif 000009
【図８】
2007244819.tif 000010